(57)【要約】      （修正有） 【課題】橈骨の遠位端近傍（手首）の骨折治療を行う際、骨折部位補強プレートの施術の迅速簡易化を実現する補助具を提供する。【解決手段】基方固定部２の長孔２２に挿通可能で且つ長孔の細幅部分より幅広で、適宜高さに形成した支持脚部３と、支持脚部の上方に連続して長孔内で回転できる大きさで、基方固定部２の厚さに対応した軸部４と、軸部の上方に指による操作を可能とした大きさの操作部５とを備えてなる。【選択図】図３
0003130923.tif 000002
【実用新案登録請求の範囲】
【請求項１】
幅広の先方固定部と細幅板状の基方固定部とが、１５〜２０度の角度をもって傾斜し、先方固定部及び基方固定部に鋲孔を複数設けると共に、基方固定部には、少なくとも鋲位置を選択できる長孔を設けた骨折部位補強用プレートに使用される補助具であって、基方固定部の長孔に挿通可能で且つ長孔の細幅部分より幅広で、適宜高さに形成した支持脚部と、支持脚部の上方に連続して長孔内で回転できる大きさで、基方固定部の厚さに対応した軸部と、軸部の上方に指による操作を可能とした大きさの操作部とを備えてなることを特徴とする骨折部位補強プレート用補助具。
【請求項２】
支持脚部と軸部と操作部とを、扁平板状に一体に形成してなる請求項１記載の骨折部位補強プレート用補助具。
【請求項３】
軸部を多段に設けてなる請求項１又は２記載の骨折部位補強プレート用補助具。
【考案の詳細な説明】
【技術分野】
【０００１】
本考案は、主として橈骨の遠位端近傍（手首）の骨折治療に、骨折部位補強プレートを使用した施術時に使用する補助具に関するものである。
【背景技術】
【０００２】
橈骨の遠位端近傍（手首）の骨折の治療に際して、骨折部位補強プレートが使用されている。この骨折部位補強プレートＡは、種々の形態の物が使用されているが、橈骨Ｂの骨折部位の掌側に固定されるプレートは、図２（イ）、（ロ）に示すとおり幅広の先方固定部１と細幅板状の基方固定部２とが、１５〜２０度の角度をもって傾斜し、先方固定部１及び基方固定部２に鋲孔１１，２１を複数設けると共に、基方固定部２には、少なくとも鋲位置及び鋲打ち角度を選択できるように長孔２２を設けており、更に先方固定部１と基方固定部２とは橈骨の遠位端の傾斜に対応して屈曲若しくは湾曲して傾斜させているものである。
【０００３】
更に詳細に説明すると、図２（イ）に示した骨折部位補強プレートＡは、特許文献１（特開２００４−２２３０４２号公報）に開示されており、先方固定部１が幅広の逆三角形で、基方固定部２が細幅の板状に形成され、特に先方固定部１には、主として骨移植を必要とする場合を想定して外形に対応した三角透窓１２を備えている。また図２（ロ）に示すように、先方固定部１と基方固定部２とがＴ状に形成されているプレートや、先方固定部が逆三角形で、鋲孔を横二列に設けたものなどが知られている。
【０００４】
【特許文献１】特開２００４−２２３０４２号公報。
【考案の開示】
【考案が解決しようとする課題】
【０００５】
前記の骨折部位補強プレートＡを骨折治療に使用する場合には、骨折箇所を切開した後、橈骨Ｂの遠位端に先方固定部１を所定のスクリューＣで固定し、その後基方固定部２を橈骨Ｂに固定するもので、先方固定部１の鋲止め施術時には、補強プレートＡを安定させるために、図５（切開される筋肉部分は省略した）に示すように、補助具Ｄを使用していた。
【０００６】
この従前の補助具Ｄは、頂部に螺孔を形成した支持脚０１と、前記支持脚０１に装着する固定ネジ０２で構成され、所望の高さを備えた支持脚０１を選択して基方固定部２の鋲孔２１の下方に位置させ、鋲孔２１を通して固定ネジ０２を螺合し、補強プレートＡの安定を図っているものである。
【０００７】
然し前記の骨折部位補強プレートＡへの補助具Ｄの装着は、煩瑣なものであり、また先方固定部１の固定後は直ちに外し、基方固定部２を橈骨Ｂに鋲結固定する必要があるので、より補助具Ｄの着脱には操作性の簡易化が要求される。
【０００８】
そこで本考案は、骨折部位補強プレートＡを使用した施術に使用される新規な補助具を提案したものである。
【課題を解決するための手段】
【０００９】
本考案に係る骨折部位補強プレート用補助具は、  幅広の先方固定部と細幅板状の基方固定部とが、１５〜２０度の角度をもって傾斜し、先方固定部及び基方固定部に鋲孔を複数設けると共に、基方固定部には、少なくとも鋲位置を選択できる長孔を設けた骨折部位補強用プレートに使用される補助具であって、基方固定部の長孔に挿通可能で且つ長孔の細幅部分より幅広で、適宜高さに形成した支持脚部と、支持脚部の上方に連続して長孔内で回転できる大きさで、基方固定部の厚さに対応した軸部と、軸部の上方に指による操作を可能とした大きさの操作部とを備えてなることを特徴とするものである。
【００１０】
従って所望の支持脚部の高さを備えた器具を選択使用するもので、操作部を指で摘み、骨折部位補強用プレートの基方固定部の長孔から支持脚部を差し入れて、軸部が長孔位置に至り９０度回動させると、支持脚部の上端縁と操作部の下端縁とで長孔の側縁部分を上下から挟持することになり、支持脚部を人体側に当接させて、基方固定部の鋲止めを行なう。
【考案の効果】
【００１１】
本考案は上記の構成を採用してなるものであるから、所定の角度で傾斜している橈骨の遠位端近傍（手首）の骨折の治療に際して使用する骨折部位補強プレートの固定手術が、迅速に且つ確実に行なわれるものである。
【考案を実施するための最良の形態】
【００１２】
次に本考案の実施の形態について説明する。最初に本考案に係る補助具の使用対象となる橈骨の遠位端近傍（手首）の骨折の治療に際して使用される骨折部位補強プレートＡについて説明する。
【００１３】
骨折部位補強プレートＡは、金属板製で、先側が幅広の逆三角形の先方固定部１で、基方が細幅の板状の基方固定部２が形成されていると共に、先方固定部１の先端縁に鋲孔１２を複数設けてなるものである。特に例示のプレートは、先方固定部１に外形に対応した三角透窓１２が形成されている。
【００１４】
また基方固定部２には、少なくとも基端に鋲孔２１と鋲位置及び鋲打ち角度を選択できる長孔２２を設けたもので、基方固定部２は、図２に例示するとおり骨切部位に応じて定まる数種類のプレートＡが容易され、基方固定部２の長さに対応して鋲孔２１の数が定められている。更に先方固定部１と基方固定部とは橈骨の遠位端の傾斜に対応して屈曲傾斜している。
【００１５】
本考案の補助具Ｅは、樹脂や金属で一体若しくは組み合わせで形成したもので、支持脚部３と軸部４と操作部５とを備えてなるものである。
【００１６】
支持脚部３は、前記骨折部位補強プレートＡの基方固定部２の長孔２２に挿通可能で且つ長孔２２の細幅部分（短径）より幅広で、適宜高さに形成したものである。即ち図１（ロ）において、幅ｌが長孔２２の短径より長く且つ長径より短く、厚さｔが長孔２２の短径より薄くし、また高さｈは、補強プレートＡの基方固定部２の長さに応じて変化するために、適宜な高さとした器具を数種類用意しておくものである。
【００１７】
軸部４は、支持脚部３の上方に連続するもので、前記長孔２２内で回転できる大きさとしたもので、径ｒは長孔２２の短径と対応し、高さｈは基方固定部２の厚さと対応させてなるものである。
【００１８】
操作部５は、軸部４の上方に連続して設けられたもので、軸部４より外周に張り出し、且つ指による操作を可能とした大きさとしたものである。
【００１９】
而して前記の補助具Ｅの使用は、基本的には従前の補助具Ｄと同様に使用されるもので、橈骨Ｂの遠位端近傍（手首）の骨折の治療に際して、橈骨Ｂの骨折部位に対応して基方固定部２が必要長さを備えた補強プレートＡを使用し、骨折部位を切開し、橈骨Ｂを露出させ、補強プレートＡの基方固定部２の長さ及び・先方固定部１の取り付け箇所の橈骨Ｂの傾斜に対応した補助具Ｅを予め選択し（手術前にレントゲン写真の橈骨Ｂに、補強プレートＡ並びにスクリューＣを合わせて、プレートの取り付け位置を確認しておく）、操作部５を指で摘み、骨折部位補強用プートＡの基方固定部２の長孔２２から支持脚部３を差し入れて、軸部４が長孔２２の位置に至ると９０度回動させ、支持脚部３の上端縁と操作部５の下端縁とで長孔２２の側縁部分を上下から挟持して、補強プレートＡに補助具を装着する。
【００２０】
そして基方固定部２を固着箇所にあわせ、支持脚部３を人体側に当接させ、プレートの安定を図った状態で基方固定部２の鋲止めを行なうものである。
【００２１】
また先方固定部１の固定後は、操作部５を摘んで９０度回動し、長孔２２から支持脚部３を引き抜き、補助具Ｅを補強プレートＡから外し、基方固定部２を橈骨Ｂに鋲結固定し、切開箇所を縫合して手術を終了するものである。
【００２２】
従って、補強プレートＡを用いた橈骨Ｂの骨切治療手術がより簡素化され迅速に行うことができたものである。
【００２３】
尚１個の補助具で支持脚部３の高さを複数設定できる器具として、図４に示すように、支持脚部３の途中に軸部４ａを設けた、多段構成としても良い。
【００２４】
また本考案の補助具の使用対象となる骨折部位補強用プレートは、図示した物品に限定されるものではなく、鋲孔及び長孔を備えると共に、傾斜形成されている先方固定部と基方固定部で構成されているものであれば、本考案に係る補助具は、全てに適用できるものである。
【図面の簡単な説明】
【００２５】
【図１】本考案の実施形態の説明図で（イ）は全体斜視図（ロ）は寸法説明図。
【図２】同使用対象の骨折部位補強プレートの斜視図。
【図３】同使用状態の説明図。
【図４】同別例の正面図。
【図５】従前器具の使用説明図。
【符号の説明】
【００２６】
Ａ      骨折部位補強プレート
１        先方固定部
１１      鋲孔
１２      三角透窓
２        基方固定部
２１      鋲孔
２２      長孔
Ｅ      補助具
３        支持脚部
４        軸部
５        操作部
【図１】
0003130923.tif 000003
【図２】
0003130923.tif 000004
【図３】
0003130923.tif 000005
【図４】
0003130923.tif 000006
【図５】
0003130923.tif 000007